(57)【要約】【課題】  本発明は、女性が胸をつぶして男性のような体形に見せるための体形補正用上衣において、胸をつぶす素材による圧力が着用者の肩に負担をかけないようにすることを課題とする。【解決手段】  女性の胸部をつぶして男性的な体形に見せるための裏地３，５と、この裏地３，５による体形の補正を隠す表地１，２，４とを備える。裏地３，５は、表地２，４に固定され、胸部の前方と後方とを周回して胸部を締め、着用者の肩に当接する生地を持たない。【選択図】図１
2014208917.tif 000002
【特許請求の範囲】
【請求項１】
女性の胸部をつぶして男性的な体形に見せるための第１の生地と、この第１の生地による体形の補正を隠す第２の生地とを備えた体形補正用上衣であって、
前記第１の生地は、前記第２の生地に固定され、前記胸部の前方と後方とを周回して胸部を締め、着用者の肩に当接する生地を持たない、体形補正用上衣。
【請求項２】
前記第１の生地は、前記胸部の後方の生地がウエスト部まで延設されている、請求項１に記載の体形補正用上衣。
【請求項３】
前記第１の生地は、前記第２の生地のネックライン上又は肩の切り替え線上に固定されている、請求項１又は２に記載の体形補正用上衣。
【発明の詳細な説明】
【技術分野】
【０００１】
本発明は、女性が胸をつぶして男性のような体形に見せるための体形補正用上衣に関する（「上衣」は上半身につける着衣の意味で用いる）。
【背景技術】
【０００２】
この種の従来例として特許文献１が開示されている。特許文献１に開示された体形補正用上衣は、表地と裏地から成り、裏地は胸部を加圧して胸をつぶすことにより女性らしい体形を男性に近い体形に変換し、表地は体形を補正していることが分からないように裏地を覆い隠す。裏地の素材には例えばパワーネットが採用され、表地の素材にはアウター感覚で着用できる素材が採用される。（特許文献１の明細書の段落０００３、０００５及び００１０等に記載されている）
【０００３】
しかし、従来の体形補正用上衣では、胸を加圧する素材が着用者の肩の上を回って当該素材の前見頃と後見頃とを接続しているため、着用者の肩にも圧力がかかり、着用者の肩に負担をかけるという不都合があった。特許文献１の場合、パワーネットの裏地が着用者の肩の部分にも設けられている。（特許文献１の図３及び図４に記載されている）
【先行技術文献】
【特許文献】
【０００４】
【特許文献１】特開２００７−３３２５１６号公報
【発明の概要】
【発明が解決しようとする課題】
【０００５】
本発明は、女性が胸をつぶして男性のような体形に見せるための体形補正用上衣において、胸をつぶす素材による圧力が着用者の肩に負担をかけないようにすることを課題とする。
【課題を解決するための手段】
【０００６】
本発明は、上記課題を解決するため以下の構成を採る。即ち、
女性の胸部をつぶして男性的な体形に見せるための第１の生地と、この第１の生地による体形の補正を隠す第２の生地とを備えた体形補正用上衣であって、
前記第１の生地は、前記第２の生地に固定され、前記胸部の前方と後方とを周回して胸部を締め、着用者の肩に当接する生地を持たない、体形補正用上衣。
【発明の効果】
【０００７】
本発明によれば、女性が胸をつぶして男性のような体形に見せるための体形補正用上衣において、胸をつぶす素材による圧力が着用者の肩に負担をかけないようにすることができる。
【図面の簡単な説明】
【０００８】
【図１】本発明の一実施形態である体形補正用上衣を前見頃から見た構成図。
【図２】本発明の一実施形態である体形補正用上衣を後見頃から見た構成図。
【発明を実施するための形態】
【０００９】
以下、本発明の実施形態を図面を参照しつつ説明する。図１は、本実施形態の体形補正用上衣を前見頃から見た構成図である。本実施形態の体形補正用上衣は、袖の無いタンクトップ型の上衣である。前見頃は、表地と裏地とにより構成されている。図面では、表地を実線で表し、裏地を点線で表す。
【００１０】
本実施形態において、前見頃の表地は、ニット素材で形成され、胴生地１と肩生地２とが切り替えになっている。切り替えのラインは、脇下側から首元に向かって走っている。
【００１１】
前見頃の裏地３は、同じ形状のパワーネットを３枚重ねることによって形成されている。前見頃の裏地３は、左右方向は前見頃の表地と同じ範囲に、上下方向は胸部の上方から下方までの範囲に設けられている。前見頃の裏地３の上端部は、前見頃の表地のネックラインに沿って配置され、かつ、前見頃の表地に設けられた肩の切り替えのラインに沿って配置されている。前見頃の裏地３は、肩の部分には設けられていない。また、前見頃の裏地３の下端部は、胸部止まりで腹部には設けられていない。
【００１２】
前見頃の裏地３は、前見頃の表地に固定されている。前見頃の裏地３を前見頃の表地に固定する際は、少なくともネックライン上又は肩の切り替え線上の箇所で表地に裏地３を縫い付ける。首元の左右の箇所で縫い付けてもよいし、ネックライン又は肩の切り替え線に沿って線状に縫い合わせてもよい。これに加え、ネックライン又は肩の切り替え線以外の箇所を縫い合わせてもよい。例えば、前見頃の表地と裏地３とを、表地の左右端部のラインに沿って縫い合わせてもよい。しかし、ネックライン上又は肩の切り替え線上の箇所以外を縫い合わせると、裏地３の伸縮の度合いに応じて表地が裏地３に攣られてしまう場合があり、表地の外観が不自然になる場合があるので、そのような事態を避けるためには、ネックライン又は肩の切り替え線以外の箇所で表地と裏地３とを縫い合わせない方がよい。また、ネックライン上又は肩の切り替え線上の箇所以外を縫い合わせなければ、表地のサイズと独立して裏地のサイズを決めることができるという設計上の柔軟性を持たせることができる。
【００１３】
続いて図２は、図１と同じ体形補正用上衣を後見頃から見た構成図である。後見頃も実線で示す表地と、点線で示す裏地とを備えている。
【００１４】
本実施形態において、後見頃の表地も、前見頃と同じニット素材で形成され、胴生地４と肩生地２とが切り替えになっている。切り替えのラインは、脇下側から後ろの首元に向かって走っている。
【００１５】
後見頃の裏地５は、１枚のパワーネットで形成されている。後見頃の裏地５は、左右方向は後見頃の表地と同じ範囲に、上下方向は首元から胴全体を覆う範囲（首元からウエストの下方までの範囲）に設けられている。前見頃の裏地５の上端部は、後見頃の表地のネックラインに沿って配置され、かつ、後見頃の表地に設けられた肩の切り替えのラインに沿って配置されている。後見頃の裏地５も、肩の部分には設けられていない。
【００１６】
後見頃の裏地５の下端部は、背中の上部や中ほどにとどまらず、ウエストの下方まで長く設けられている。後見頃の裏地５の下端部を背中の上部や中ほどに配置すると、裏地５の下端部のラインが表地に浮き出て見えてしまう場合がある。この場合、そのラインが、まるでブラジャーをしているかのように見えてしまい、着用者にとって不本意となる。そこで、後見頃の裏地５は、前見頃の裏地３とは異なり、ウエストの下方まで長く設けている。
【００１７】
後見頃の裏地５は、後見頃の表地に固定されている。後見頃の裏地５を後見頃の表地に固定する際は、少なくともネックライン上又は肩の切り替え線上の箇所で表地に裏地５を縫い付ける。首元の左右の箇所で縫い付けてもよいし、ネックライン又は肩の切り替え線に沿って線状に縫い合わせてもよい。これに加え、ネックライン又は肩の切り替え線以外の箇所を縫い合わせてもよい。例えば、後見頃の表地と裏地５とを、表地の左右端部のラインに沿って縫い合わせてもよい。しかし前見頃の説明でも触れたように、ネックライン上又は肩の切り替え線上の箇所以外を縫い合わせると、裏地５の伸縮の度合いに応じて表地が裏地５に攣られてしまう場合があり、表地の外観が不自然になる場合があるので、そのような事態を避けるためには、ネックライン又は肩の切り替え線以外の箇所で表地と裏地５とを縫い合わせない方がよい。また、ネックライン上又は肩の切り替え線上の箇所以外を縫い合わせなければ、表地のサイズと独立して裏地のサイズを決めることができるという設計上の柔軟性を持たせることができるのは、前見頃と同様である。
【００１８】
前見頃の裏地３と後見頃の裏地５とは、胴の左右の側部で縫い合わせることにより、胸部を周回する環状の裏地になっている。
【００１９】
着用者は、胸部が前見頃の裏地３と後見頃の裏地５との間で圧迫されるように体形補正用上衣を着用し、後見頃の裏地５はウエストの下方まで下がるように着用する。このとき裏地が胸をつぶし、着用者の体形を男性的な体形に補正する。しかし、肩の部分には裏地を設けていないため、胸をつぶす素材による圧力が着用者の肩に負担をかけることはない。また、表地は、裏地によって胸部の体形が補正されていることを外部に気付かせないように、自然な外観を装う。もっとも、着用者の体形に応じて、裏地および表地がそれぞれ上記のように機能するサイズの体形補正用上衣を選んで着用しなければならない。
【００２０】
ここで、本発明の範囲は、以上に説明した実施形態の範囲に限られず、特許請求の範囲に記載した範囲である。例えば、上衣の種類はタンクトップに限られない。袖のある上衣でもよい。表地の切り替えは必ずしも必要ないが、表地の肩の部分を切り替えやラグラン袖にした場合、その切り替えのラインの縫製と同時に裏地の端部を縫製してもよい。この場合、表地の切り替えの縫製と裏地の縫い付けとを別々に行う場合に比べ、製造工程数を削減することができる。また、表地の素材はニットに限らない。前見頃の裏地は腹部にまで長く設けられていてもよい。裏地の素材はパワーネットに限らない。裏地の素材は伸縮性のない生地でもよい。例えば、前身頃の裏地として伸縮性のない生地を数枚重ねてもよいし、前身頃の裏地としてパワーネットと伸縮性のない生地とを重ねてもよい。実施形態では前見頃の裏地を３枚重ねているが、裏地の重ね枚数が異なってもよいし、裏地の素材を重ねていなくてもよい。後見頃の裏地は１枚に限らず２枚以上を重ねてもよい。
【符号の説明】
【００２１】
１  前見頃の胴生地
２  肩生地
３  前見頃の裏地
４  後見頃の胴生地
５  後見頃の裏地
【図１】
2014208917.tif 000003
【図２】
2014208917.tif 000004